(57)【要約】【課題】開口率を確保しつつ、ディスクリネーションを緩和できる電気光学装置を提供すること。【解決手段】電気光学装置は、複数の走査線と、複数のデータ線と、走査線および前記データ線の交差に対応して設けられた複数の画素５７と、を備える。画素５７は、各画素５７に対応して設けられた色が異なる赤、緑、青、およびシアンの４種類のカラーフィルタ７４Ｒ、７４Ｇ、７４Ｂ、７４Ｃを有する。シアンのカラーフィルタ７４Ｃを第１のカラーフィルタとし、緑および青の２つのカラーフィルタ７４Ｇ、７４Ｂをそれぞれ第２および第３のカラーフィルタとすると、第１のカラーフィルタとしてのシアンのカラーフィルタ７４Ｃは、第２および第３のカラーフィルタとしての緑および青の２つのカラーフィルタ７４Ｇ、７４Ｂの中間色である。また、この電気光学装置は、走査線駆動回路およびデータ線駆動回路によりドット反転駆動される。【選択図】図４
2007094337.tif 000002
【特許請求の範囲】
【請求項１】
複数の走査線と、複数のデータ線と、前記走査線および前記データ線の交差に対応して設けられた複数の画素と、を備え、前記各画素は、色が異なる複数種のカラーフィルタを有する電気光学装置であって、
前記複数種のカラーフィルタのうち少なくとも１つを第１のカラーフィルタとし、当該第１のカラーフィルタを挟んで設けられた２つのカラーフィルタを第２のカラーフィルタおよび第３のカラーフィルタとすると、前記第１のカラーフィルタは、前記第２のカラーフィルタおよび前記第３のカラーフィルタの中間色であり、
前記複数の走査線を所定の順番で選択して選択電圧を印加する走査線駆動回路と、
前記画素の階調値に応じて、前記走査線に前記選択電圧が印加される期間に、所定の電圧を基準として高電位側の電圧と低電位側の電圧とを、前記画素ごとに交互に前記データ線に印加するデータ線駆動回路と、を備えることを特徴とする電気光学装置。
【請求項２】
請求項１に記載の電気光学装置において、
前記第１のカラーフィルタの厚みおよび面積のうち少なくとも一方は、前記第２のカラーフィルタおよび前記第３のカラーフィルタよりも小さいことを特徴とする電気光学装置。
【請求項３】
請求項１または２に記載の電気光学装置において、
前記第１のカラーフィルタは、シアンのカラーフィルタであり、前記第２のカラーフィルタは、緑のカラーフィルタであり、前記第３のカラーフィルタは、青のカラーフィルタであることを特徴とする電気光学装置。
【請求項４】
請求項１または２に記載の電気光学装置において、
前記第１のカラーフィルタは、黄のカラーフィルタであり、前記第２のカラーフィルタは、赤のカラーフィルタであり、前記第３のカラーフィルタは、緑のカラーフィルタであることを特徴とする電気光学装置。
【請求項５】
請求項１または２に記載の電気光学装置において、
前記第１のカラーフィルタは、マゼンタのカラーフィルタであり、前記第２のカラーフィルタは、青のカラーフィルタであり、前記第３のカラーフィルタは、赤のカラーフィルタであることを特徴とする電気光学装置。
【請求項６】
複数の走査線と、複数のデータ線と、前記走査線および前記データ線の交差に対応して設けられた複数の画素と、を備え、前記各画素は、色が異なる複数種のカラーフィルタを有する電気光学装置であって、
前記複数種のカラーフィルタのうち少なくとも１つを第１のカラーフィルタとし、当該第１のカラーフィルタを挟んで設けられた２つのカラーフィルタを第２のカラーフィルタおよび第３のカラーフィルタとすると、前記第１のカラーフィルタは、前記第２のカラーフィルタおよび前記第３のカラーフィルタの間の色相を有するカラーフィルタであり、
前記複数の走査線を所定の順番で選択して選択電圧を印加する走査線駆動回路と、
前記画素の階調値に応じて、前記走査線に前記選択電圧が印加される期間に、所定の電圧を基準として高電位側の電圧と低電位側の電圧とを、前記画素ごとに交互に前記データ線に印加するデータ線駆動回路と、を備えることを特徴とする電気光学装置。
【請求項７】
請求項６に記載の電気光学装置において、
前記第１のカラーフィルタは、青から黄までの色相の中で選択されたのカラーフィルタであり、前記第２のカラーフィルタは、青系の色相の着色領域を有するカラーフィルタであり、前記第３のカラーフィルタは、赤系の色相の着色領域を有するカラーフィルタであることを特徴とする電気光学装置。
【請求項８】
請求項１から７のいずれか１項に記載の電気光学装置を備えたことを特徴とする電子機器。
【発明の詳細な説明】
【技術分野】
【０００１】
本発明は、電気光学装置および電子機器に関する。
【背景技術】
【０００２】
従来より、電気光学装置として、アクティブマトリクス型の液晶表示装置が知られている。このアクティブマトリクス型の液晶表示装置は、複数の走査線、これら走査線に略直交する複数のデータ線、ならびに、走査線およびデータ線の交差に対応して設けられた複数の画素電極およびスイッチング素子を有する素子基板と、この素子基板に対向して設けられた対向基板と、素子基板および対向基板の間に設けられた電気光学物質である液晶と、を備えている。
また、対向基板上には、画素電極に対向して共通電極が設けられている。
【０００３】
以上の電気光学装置は、以下のように動作する。すなわち、選択電圧を走査線に線順次で供給することで、ある走査線に係る画素を全て選択する。そして、これら画素の選択に同期して、データ線に画像信号を供給する。これにより、選択電圧で選択した走査線に係る全ての画素に画像信号が供給されて、画像データが画素電極に書き込まれる。
【０００４】
画素電極に画像信号が書き込まれると、この画素電極と共通電極との電位差により、液晶に駆動電圧が印加される。したがって、画像信号の電圧レベルを変化させることで、液晶の配向や秩序を変化させて、各画素の光変調による階調表示を行う。
【０００５】
ところで、液晶に印加する電圧としては、直流電圧と交流電圧とがあるが、直流電圧を液晶に印加すると、液晶が焼付きを起こしてしまうため、交流電圧を液晶に印加する駆動方式が採用される。
【０００６】
この交流電圧による駆動方式では、共通電極の電位を基準電位として、共通電極よりも高い電位（以降、正極性と呼ぶ）である正極性画像信号、および、共通電極よりも低い電位（以降、負極性と呼ぶ）である負極性画像信号を、交互に画素電極に書き込む。
このような駆動方式としては、正極性画像信号および負極性画像信号を、１フレームごとに交互に各データ線に供給するフレーム反転駆動方式、１水平ラインごとに交互に各データ線に供給するライン反転駆動方式、および１画素ごとに交互に各データ線に供給するドット反転駆動方式がある。
【０００７】
このうち、フレーム反転駆動方式では、フリッカと呼ばれる画面のちらつきが発生し、ライン反転駆動方式では、ラインごとに表示むらが生じるため、フリッカや表示むらを低減できるドット反転駆動方式が採用されることが多い。
【０００８】
ところで、画素電極に画像信号を書き込むと、互いに対向する画素電極と共通電極との間で電気力線が生じる。具体的には、電気力線は、素子基板および対向基板に垂直となっている。
しかしながら、隣接する画素電極同士の間隔が狭い場合、隣接する２つの画素電極間で電位が相互に影響を及ぼし合い易くなる。特に、隣接する画素電極の電圧の極性が異なる場合、画素電極の端部における液晶層中では、電気力線が歪んで、素子基板に平行な方向の成分が強くなる。
【０００９】
このように電気力線に歪みが発生すると、画素電極の端部では、液晶分子が正常に配向せずにディスクリネーションが発生する。このディスクリネーションが発生すると、この発生箇所では液晶分子による光制御が正常に行われず、光漏れが生じる。
以上のような現象は、画素ごとに書き込む極性を反転させるドット反転駆動方式では特に顕著となっている。
【００１０】
この問題を解決するため、対向基板の隣接する画素電極間の隙間に対向する部分に、素子基板に向かって突出する凸状部を設けた液晶装置が知られている（特許文献１参照）。
この特許文献１に示された液晶装置によれば、対向基板に設けた凸状部により、画素電極と共通電極との間に生じる電界が強まり、隣接する画素電極間で生じる電界の大きさが相対的に小さくなる。よって、画素電極の端部において生じる電気力線が基板に対して垂直に近くなり、表示領域におけるディスクリネーションの発生が防止される。
【特許文献１】特開平５−１１３５７８号公報
【発明の開示】
【発明が解決しようとする課題】
【００１１】
しかしながら、特許文献１に示された方法では、互いに隣接する画素電極の境界に凸状部を設けるため、液晶パネルの開口率が低下するという課題があった。
【００１２】
本発明は、上述の事情に鑑みてなされたもので、開口率を確保しつつ、ディスクリネーションを緩和できる電気光学装置および電子機器を提供することを目的とする。
【課題を解決するための手段】
【００１３】
上記の課題を解決するため、本発明は以下のものを提供する。
【００１４】
本発明の電気光学装置は、複数の走査線と、複数のデータ線と、前記走査線および前記データ線の交差に対応して設けられた複数の画素と、を備え、前記各画素は、色が異なる複数種のカラーフィルタを有する電気光学装置であって、前記複数種のカラーフィルタのうち少なくとも１つを第１のカラーフィルタとし、当該第１のカラーフィルタを挟んで設けられた２つのカラーフィルタを第２のカラーフィルタおよび第３のカラーフィルタとすると、前記第１のカラーフィルタは、前記第２のカラーフィルタおよび前記第３のカラーフィルタの中間色であり、前記複数の走査線を所定の順番で選択して選択電圧を印加する走査線駆動回路と、前記画素の階調値に応じて、前記各走査線に前記選択電圧が印加される期間に、所定の電圧を基準として高電位側の電圧と低電位側の電圧とを、前記画素ごとに交互に前記データ線に印加するデータ線駆動回路と、を備えることを特徴とする。
【００１５】
この発明によれば、複数種のカラーフィルタのうち少なくとも１つを第１のカラーフィルタとし、当該第１のカラーフィルタを挟んで設けられた２つのカラーフィルタを第２のカラーフィルタおよび第３のカラーフィルタとし、第１のカラーフィルタを第２のカラーフィルタの中間色とした。よって、第１のカラーフィルタの光透過特性は、この第１のカラーフィルタの両側に配置された第２のカラーフィルタおよび第３のカラーフィルタの光透過特性に近似する。そのため、走査線駆動回路およびデータ線駆動回路により画素ごとに書き込む極性を反転させて、画素電極の端部でディスクリネーションが発生して光漏れが生じても、この漏れた光は、近似した光透過特性である第１、第２および第３のカラーフィルタのいずれかを透過することになるため、ディスクリネーションを緩和できる。
また、従来のように画素電極同士の境界に凸状部を設ける構成ではないため、開口率を大きく確保できる。
【００１６】
また、上述の電気光学装置では、前記第１のカラーフィルタの厚みおよび面積のうち少なくとも一方は、前記第２のカラーフィルタおよび前記第３のカラーフィルタよりも小さいことが好ましい。
【００１７】
第１のカラーフィルタを第２のカラーフィルタおよび前記第３のカラーフィルタの間に設けたことにより、第１のカラーフィルタを設けない場合に比べて、表示色のバランスの調整が難しくなる。
そこで、この発明によれば、第１のカラーフィルタの厚みおよび面積のうち少なくとも一方を、第２のカラーフィルタおよび前記第３のカラーフィルタよりも小さくした。よって、第１のカラーフィルタから射出される光の純度を、第２のカラーフィルタおよび前記第３のカラーフィルタから射出される光の純度よりも低下させることができ、表示色のバランスを容易に調整できる。
特に、従来の赤、緑、青の３種類のカラーフィルタに、シアンのカラーフィルタを加えて４種類のカラーフィルタとした場合には、白色が緑がかってしまうため、表示色のバランスを調整することが必要である。
【００１８】
また、上述の電気光学装置では、前記第１のカラーフィルタは、シアンのカラーフィルタであり、前記第２のカラーフィルタは、緑のカラーフィルタであり、前記第３のカラーフィルタは、青のカラーフィルタであることが好ましい。
【００１９】
この発明によれば、第１のカラーフィルタをシアンのカラーフィルタとし、第２のカラーフィルタを緑のカラーフィルタとし、第３のカラーフィルタを青のカラーフィルタとした。シアンのカラーフィルタの光透過特性は、緑および青のカラーフィルタの光透過特性に近似するから、緑の画素と青の画素との間に生じるディスクリネーションを緩和できる。
【００２０】
また、上述の電気光学装置では、前記第１のカラーフィルタは、黄のカラーフィルタであり、前記第２のカラーフィルタは、赤のカラーフィルタであり、前記第３のカラーフィルタは、緑のカラーフィルタであることが好ましい。
【００２１】
この発明によれば、第１のカラーフィルタを黄のカラーフィルタとし、第２のカラーフィルタを赤のカラーフィルタとし、第３のカラーフィルタを緑のカラーフィルタとした。黄のカラーフィルタの光透過特性は、赤および緑のカラーフィルタの光透過特性に近似するから、赤の画素と緑の画素との間に生じるディスクリネーションを緩和できる。
【００２２】
また、上述の電気光学装置では、前記第１のカラーフィルタは、マゼンタのカラーフィルタであり、前記第２のカラーフィルタは、青のカラーフィルタであり、前記第３のカラーフィルタは、赤のカラーフィルタであることが好ましい。
【００２３】
この発明によれば、第１のカラーフィルタをマゼンタのカラーフィルタとし、第２のカラーフィルタを青のカラーフィルタとし、第３のカラーフィルタを赤のカラーフィルタとした。マゼンタのカラーフィルタの光透過特性は、青および赤のカラーフィルタの光透過特性に近似するから、青の画素と赤の画素との間に生じるディスクリネーションを緩和できる。
【００２４】
本発明の電子機器は、上述の電気光学装置を備えたことを特徴とする。
この発明によれば、上述した効果と同様の効果がある。
【発明を実施するための最良の形態】
【００２５】
以下、本発明の各実施形態を図面に基づいて説明する。なお、以下の実施形態および変形例の説明にあたって、同一構成要件については同一符号を付し、その説明を省略もしくは簡略化する。
＜第１実施形態＞
図１は、本発明の第１実施形態に係る電気光学装置１のブロック図である。
電気光学装置１は、表示領域Ａを有する液晶パネルＡＡと、走査線駆動回路１１と、データ線駆動回路２１と、を備える。
【００２６】
液晶パネルＡＡは、複数の走査線１０と、複数のデータ線２０と、これら走査線１０およびデータ線２０の交差に対応して設けられた画素回路５０と、を備える。
液晶パネルＡＡには、上述した複数の画素回路５０に対応して設けられた複数の画素からなる表示領域Ａが形成されている。
上述の走査線駆動回路１１およびデータ線駆動回路２１は、液晶パネルＡＡの素子基板６０上に形成される。
【００２７】
各画素回路５０は、後述の素子基板６０に設けられたＴＦＴ５１、画素電極５５、および蓄積容量５３と、後述の対向基板７０に設けられた共通電極５６と、を含んで構成されている。
【００２８】
具体的には、素子基板６０には、所定間隔おきに交互に設けられた複数の走査線１０および共通線３０と、これら走査線１０に略直交し所定間隔おきに設けられた複数のデータ線２０と、各走査線１０と各データ線２０との交差部分に設けられたスイッチング素子としての薄膜トランジスタ（以降、ＴＦＴと呼ぶ）５１、画素電極５５、およびこの画素電極５５に一端が電気的に接続され他端が共通線３０に電気的に接続された蓄積容量５３と、が設けられている。
【００２９】
ＴＦＴ５１のゲート電極には、走査線１０が接続され、ＴＦＴ５１のソース電極には、データ線２０が接続され、ＴＦＴ５１のドレイン電極には、画素電極５５および蓄積容量５３が接続されている。したがって、このＴＦＴ５１は、走査線１０から選択電圧が印加されると、データ線２０と画素電極５５および蓄積容量５３とを導通状態とする。
【００３０】
対向基板７０には、画素電極５５に対向する共通電極５６が設けられる。この共通電極５６は、素子基板６０の四隅に設けられた導通部３１およびこれら導通部３１同士を接続する共通配線３２を介して、共通線３０と接続される。
素子基板６０と対向基板７０との間には、液晶が挟持される。
【００３１】
走査線駆動回路１１は、ＴＦＴ５１をオン状態にする選択電圧を各走査線１０に線順次で供給する。つまり、複数の走査線１０を所定の順番で選択し、選択した走査線１０に選択電圧を印加する。例えば、ある走査線１０に選択電圧が供給されると、この走査線１０に接続されたＴＦＴ５１が全て導通状態になり、この走査線１０に係る画素が全て選択される。
データ線駆動回路２１は、画像信号を各データ線２０に供給し、オン状態のＴＦＴ５１を介して、画素回路５０の画素電極５５に画像データを順次書き込む。ここで、データ線駆動回路２１は、いわゆるドット反転駆動方式を採用しており、共通電極５６の電圧を基準電圧として、この共通電極５６の電圧よりも高い電圧でデータ線２０に画像信号を供給する正極性書込と、共通電極５６の電圧よりも低い電圧でデータ線２０に画像信号を供給する負極性書込とを画素回路５０ごとに交互に行う。つまり、データ線駆動回路２１は、画素の階調値に応じて、走査線１０に選択電圧が印加される期間に、所定の電圧である共通電極５６の電圧を基準として高電位側の電圧と低電位側の電圧とを、画素回路５０ごとに交互にデータ線２０に印加する。
【００３２】
以上の電気光学装置１は、以下のように動作する。
すなわち、走査線駆動回路１１から選択電圧を線順次で供給することで、ある走査線１０に係る画素回路５０を全て選択する。そして、これら画素回路５０の選択に同期して、データ線駆動回路２１からデータ線２０に画像信号を供給する。これにより、走査線駆動回路で選択した全ての画素回路５０に画像信号が供給されて、画像データが画素電極５５に書き込まれる。
【００３３】
ここで、この電気光学装置１では、共通電極５６の電圧を基準電圧として、この共通電極５６の電圧よりも高い電圧でデータ線２０に画像信号を供給する正極性書込と、共通電極５６の電圧よりも低い電圧でデータ線２０に画像信号を供給する負極性書込とを交互に行う。
【００３４】
画素回路５０の画素電極５５に画像データが書き込まれると、この画素電極５５と共通電極５６との電位差により、液晶に駆動電圧が印加される。したがって、画像信号の電圧レベルを変化させることで、液晶の配向や秩序を変化させて、各画素の光変調による階調表示を行う。
なお、液晶に印加される駆動電圧は、蓄積容量５３により、画像データが書き込まれる期間よりも３桁も長い期間に亘って保持される。
【００３５】
図２は、電気光学装置１の構成を示す斜視図であり、図３は、図２におけるＺ−Ｚ´断面図である。
電気光学装置１は、画素電極５５等が形成された素子基板６０と、この素子基板６０に対向配置されかつ共通電極５６等が形成された対向基板７０と、素子基板６０および対向基板７０間に設けられた液晶と、素子基板６０の下側（対向基板７０とは反対側）に設けられて液晶に光を照射する光源としてのバックライト８０と、を有する。
素子基板６０は、ガラスや半導体等で形成され、この素子基板６０上には、ＴＦＴ（Thin  Film  Transistor：薄膜トランジスタ）を用いて各種の回路等が形成される。また、対向基板７０は、ガラス等の透明性の材料で形成される。
【００３６】
対向基板７０の外周部には、素子基板６０および対向基板７０の間隙を封止するシール部材７１が設けられている。このシール部材７１は、素子基板６０および対向基板７０とともに、液晶が封入される空間を形成する。シール部材７１には、素子基板６０および対向基板７０の間隔を保持するため、スペーサ７２が混入されている。なお、シール部材７１には、液晶を封入するための開口部が形成されており、この開口部は、液晶の封入後に封止材７３で封止されている。
【００３７】
ここで、素子基板６０の対向基板７０側の表面であって、シール部材７１の一辺の外側には、Ｘ方向に延在するデータ線駆動回路２１が形成されている。さらに、この一辺には複数の接続電極２１１が形成されて、この接続電極２１１を通して各種信号が入力される。また、シール部材７１の前記一辺の両側の辺には、Ｙ方向に延在する走査線駆動回路１１が形成されている。
【００３８】
対向基板７０の表示領域Ａには、素子基板６０に対向する表面に、カラーフィルタ７４Ｒ、７４Ｇ、７４Ｃ、７４Ｂが所定の厚みで形成されている。これらカラーフィルタ７４Ｒ、７４Ｇ、７４Ｃ、７４Ｂ同士の隙間や表示領域Ａの周囲には、ブラックマトリクスが形成され、外光の入射が防止されている。これらカラーフィルタ７４Ｒ、７４Ｇ、７４Ｂ、７４Ｃおよびブラックマトリクス上には、図示しない保護膜が形成され、この保護膜上に共通電極５６が形成される。
【００３９】
図４は、表示領域Ａの概略平面図である。
表示領域Ａは、複数の画素５７がマトリクス状に配列されて構成され、各画素５７は、赤（Ｒ）、緑（Ｇ）、青（Ｂ）およびシアン（Ｃ）の色が異なる４種類のカラーフィルタ７４Ｒ、７４Ｇ、７４Ｂ、７４Ｃを有する。具体的には、これらカラーフィルタ７４Ｒ、７４Ｇ、７４Ｂ、７４Ｃを有する画素５７がストライプ状に配列されている。
【００４０】
すなわち、図４中左から右に向かって、赤（Ｒ）のカラーフィルタ７４Ｒ、緑（Ｇ）のカラーフィルタ７４Ｇ、シアン（Ｃ）のカラーフィルタ７４Ｃ、青（Ｂ）のカラーフィルタ７４Ｂ、の順に配置されている。
【００４１】
ここで、４種類のカラーフィルタ７４Ｒ、７４Ｇ、７４Ｂ、７４Ｃのうちシアン（Ｃ）のカラーフィルタ７４Ｃを第１のカラーフィルタとし、この第１のカラーフィルタとしてのシアン（Ｃ）のカラーフィルタ７４Ｃを挟んで設けられた緑（Ｇ）および青（Ｂ）の２つのカラーフィルタ７４Ｂ、７４Ｇをそれぞれ第２および第３のカラーフィルタとする。すると、第１のカラーフィルタとしてのシアン（Ｃ）のカラーフィルタ７４Ｃは、第２および第３のカラーフィルタとしての青（Ｂ）および緑（Ｇ）のカラーフィルタ７４Ｇ、７４Ｂの中間色となっている。
【００４２】
また、シアン（Ｃ）のカラーフィルタ７４Ｃの厚みおよび面積は、青（Ｂ）および緑（Ｇ）のカラーフィルタ７４Ｇ、７４Ｂよりも小さくなっている。
具体的には、図３にも示すように、赤（Ｒ）、青（Ｂ）および緑（Ｇ）のカラーフィルタ７４Ｒ、７４Ｂ、７４Ｇの幅寸法をａとすると、シアン（Ｃ）のカラーフィルタ７４Ｃの幅寸法はａ／２であり、半分の面積となっている。
【００４３】
また、図３では、４種類のカラーフィルタ７４Ｒ、７４Ｇ、７４Ｂ、７４Ｃが全て同じ厚みであるかのように見えるが、実際には、シアン（Ｃ）のカラーフィルタ７４Ｃは、赤（Ｒ）、青（Ｂ）および緑（Ｇ）のカラーフィルタ７４Ｒ、７４Ｂ、７４Ｇに比べて、厚みが薄くなっている。
【００４４】
本実施形態によれば、以下のような効果がある。
（１）４種のカラーフィルタ７４Ｒ、７４Ｇ、７４Ｂ、７４Ｃのうちシアン（Ｃ）のカラーフィルタ７４Ｃを第１のカラーフィルタとし、当該第１のカラーフィルタを挟んで設けられた青（Ｂ）および緑（Ｇ）のカラーフィルタ７４Ｇ、７４Ｂをそれぞれ第２および第３のカラーフィルタとし、第１のカラーフィルタを第２および第３のカラーフィルタの中間色とした。よって、シアン（Ｃ）のカラーフィルタ７４Ｃの光透過特性は、このシアン（Ｃ）のカラーフィルタ７４Ｃの両側に配置された青（Ｂ）および緑（Ｇ）のカラーフィルタ７４Ｇ、７４Ｂの光透過特性に近似する。そのため、走査線駆動回路１１およびデータ線駆動回路２１により画素回路５０ごとに書き込む極性を反転させて、画素電極５５の端部でディスクリネーションが発生して光漏れが生じても、この漏れた光は、近似した光透過特性である第１、第２および第３のカラーフィルタのいずれかを透過することになるため、ディスクリネーションを緩和できる。
また、従来のように画素電極同士の境界に凸状部を設ける構成ではないため、開口率を大きく確保できる。
【００４５】
（２）シアン（Ｃ）のカラーフィルタ７４Ｃの厚みおよび面積を、青（Ｂ）および緑（Ｇ）のカラーフィルタ７４Ｇ、７４Ｂよりも小さくした。よって、シアン（Ｃ）のカラーフィルタ７４Ｃから射出される光の純度を、青（Ｂ）および緑（Ｇ）のカラーフィルタ７４Ｇ、７４Ｂから射出される光の純度よりも低下させることができ、表示色のバランスを容易に調整して、白色が緑がかってしまうのを防止できる。
【００４６】
（３）カラーフィルタを、赤（Ｒ）、緑（Ｇ）、青（Ｂ）、およびシアン（Ｃ）のカラーフィルタ７４Ｒ、７４Ｇ、７４Ｂ、７４Ｃとしたので、つまり、４色の画素５７で電気光学装置を構成したので、従来のような３色の画素に比べて、表現できる色域を拡大できるから、色再現性の向上を実現できる。
【００４７】
＜第２実施形態＞
図５は、本発明の第２実施形態に係る表示領域Ａ´の概略平面図である。
表示領域Ａ´は、複数の画素５７Ａがマトリクス状に配列されて構成され、各画素５７Ａは、赤（Ｒ）、黄（Ｙ）、緑（Ｇ）、シアン（Ｃ）、青（Ｂ）、およびマゼンタ（Ｍ）の色が異なる６種類のカラーフィルタ７５Ｒ、７５Ｙ、７５Ｇ、７５Ｃ、７５Ｂ、７５Ｍを有する。具体的には、これらカラーフィルタ７５Ｒ、７５Ｙ、７５Ｇ、７５Ｃ、７５Ｂ、７５Ｍを有する画素５７Ａがストライプ状に配列されている。
【００４８】
すなわち、図５中左から右に向かって、赤（Ｒ）のカラーフィルタ７５Ｒ、黄（Ｙ）のカラーフィルタ７５Ｙ、緑（Ｇ）のカラーフィルタ７５Ｇ、シアン（Ｃ）のカラーフィルタ７５Ｃ、青（Ｂ）のカラーフィルタ７５Ｂ、マゼンタ（Ｍ）のカラーフィルタ７５Ｍ、の順に配置されている。
【００４９】
ここで、６種類のカラーフィルタ７５Ｒ、７５Ｙ、７５Ｇ、７５Ｃ、７５Ｂ、７５Ｍのうち、黄（Ｙ）のカラーフィルタ７５Ｙ、シアン（Ｃ）のカラーフィルタ７５Ｃ、マゼンタ（Ｍ）のカラーフィルタ７５Ｍを第１のカラーフィルタとする。
【００５０】
また、第１のカラーフィルタとしての黄（Ｙ）のカラーフィルタ７５Ｙを挟んで設けられた赤（Ｒ）および緑（Ｇ）の２つのカラーフィルタ７５Ｒ、７５Ｇをそれぞれ第２および第３のカラーフィルタとする。すると、第１のカラーフィルタとしての黄（Ｙ）のカラーフィルタ７５Ｙは、第２および第３のカラーフィルタとしての赤（Ｒ）および緑（Ｇ）のカラーフィルタ７５Ｒ、７５Ｇの中間色となっている。
【００５１】
また、第１のカラーフィルタとしてのシアン（Ｃ）のカラーフィルタ７５Ｃを挟んで設けられた緑（Ｇ）および青（Ｂ）の２つのカラーフィルタ７５Ｇ、７５Ｂをそれぞれ第２および第３のカラーフィルタとする。すると、第１のカラーフィルタとしてのシアン（Ｃ）のカラーフィルタ７５Ｃは、第２および第３のカラーフィルタとしての緑（Ｇ）および青（Ｂ）のカラーフィルタ７５Ｇ、７５Ｂの中間色となっている。
【００５２】
また、第１のカラーフィルタとしてのマゼンタ（Ｍ）のカラーフィルタ７５Ｍを挟んで設けられた青（Ｂ）および赤（Ｒ）の２つのカラーフィルタ７５Ｂ、７５Ｒをそれぞれ第２および第３のカラーフィルタとする。すると、第１のカラーフィルタとしてのマゼンタ（Ｍ）のカラーフィルタ７５Ｍは、第２および第３のカラーフィルタとしての青（Ｂ）および赤（Ｒ）のカラーフィルタ７５Ｂ、７５Ｒの中間色となっている。
【００５３】
また、黄（Ｙ）、シアン（Ｃ）およびマゼンタ（Ｍ）のカラーフィルタ７５Ｙ、７５Ｃ、７５Ｍの厚みおよび面積は、赤（Ｒ）、緑（Ｇ）、および青（Ｂ）のカラーフィルタ７５Ｒ、７５Ｇ、７５Ｂよりも小さくなっている。
具体的には、赤（Ｒ）、緑（Ｇ）、および青（Ｂ）のカラーフィルタ７５Ｒ、７５Ｇ、７５Ｂの幅寸法をａとすると、黄（Ｙ）、シアン（Ｃ）およびマゼンタ（Ｍ）のカラーフィルタ７５Ｙ、７５Ｃ、７５Ｍの幅寸法はａ／２であり、半分の面積となっている。
【００５４】
図６は、電気光学装置１Ａの断面図である。
図６では、６種類のカラーフィルタ７５Ｒ、７５Ｙ、７５Ｇ、７５Ｃ、７５Ｂ、７５Ｍが全て同じ厚みであるかのように見えるが、実際には、黄（Ｙ）、シアン（Ｃ）およびマゼンタ（Ｍ）のカラーフィルタ７５Ｙ、７５Ｃ、７５Ｍは、赤（Ｒ）、緑（Ｇ）、および青（Ｂ）のカラーフィルタ７５Ｒ、７５Ｇ、７５Ｂに比べて、厚みが薄くなっている。
【００５５】
本実施形態によれば、上述の（１）〜（３）と同様の効果がある。
【００５６】
＜第３実施形態＞
先に説明した赤（Ｒ）、青（Ｂ）、緑（Ｇ）及びシアン（Ｃ）をそれぞれ、以下に説明するような赤系の色相の着色領域（Ｒ）、青系の色相の着色領域（Ｂ）及び青から黄までの色相の中で選択された２種の色相の着色領域（Ｇ及びＣ）に適用しても良い。
【００５７】
４色の着色領域は、波長に応じて色相が変化する可視光領域（３８０−７８０ｎｍ）のうち、青系の色相の着色領域、赤系の色相の着色領域と、青から黄までの色相の中で選択された２種の色相の着色領域からなる。ここで系と用いているが、例えば青系であれば純粋の青の色相に限定されるものでなく、青紫や青緑等を含むものである。赤系の色相であれば、赤に限定されるものでなく橙を含む。また、これら着色領域は単一の着色層で構成されても良いし、複数の異なる色相の着色層を重ねて構成されても良い。また、これら着色領域は色相で述べているが、当該色相は、彩度、明度を適宜変更し、色を設定し得るものである。
【００５８】
具体的な色相の範囲は、
青系の色相の着色領域は、青紫から青緑であり、より好ましくは藍から青である。
赤系の色相の着色領域は、橙から赤である。
青から黄までの色相で選択される一方の着色領域は、青から緑であり、より好ましくは青緑から緑である。
青から黄までの色相で選択される他方の着色領域は、緑から橙であり、より好ましくは緑から黄である。もしくは緑から黄緑である。
ここで、各着色領域は、同じ色相を用いることはない。例えば、青から黄までの色相で選択される２つの着色領域で緑系の色相を用いる場合は、他方は一方の緑に対して青系もしくは黄緑系の色相を用いる。
これにより、従来のRGBの着色領域よりも広範囲の色再現性を実現することができる。
【００５９】
広範囲の色再現性を色相で述べたが、以下に、着色領域を透過する波長で表現する。
青系の着色領域は、波長のピークが４１５−５００ｎｍにある着色領域、好ましくは、４３５−４８５ｎｍにある着色領域である。
赤系の着色領域は、波長のピークが６００ｎｍ以上にある着色領域で、好ましくは、６０５ｎｍ以上にある着色領域である。
青から黄までの色相で選択される一方の着色領域は、波長のピークが４８５−５３５ｎｍにある着色領域で、好ましくは、４９５−５２０ｎｍにある着色領域である。
青から黄までの色相で選択される他方の着色領域は、波長のピークが５００−５９０ｎｍにある着色領域、好ましくは５１０−５８５ｎｍにある着色領域、もしくは５３０−５６５ｎｍにある着色領域である。
【００６０】
次に、ｘ、ｙ色度図で表現する。
青系の着色領域は、ｘ≦0.151、ｙ≦0.056にある着色領域であり、好ましくは、0.134≦ｘ≦0.151、0.034≦ｙ≦0.056にある着色領域である。
赤系の着色領域は、0.643≦ｘ、ｙ≦0.333にある着色領域であり、好ましくは、0.643≦ｘ≦0.690、0.299≦ｙ≦0.333にある着色領域である。
青から黄までの色相で選択される一方の着色領域は、ｘ≦0.164、0.453≦ｙにある着色領域であり、好ましくは、0.098≦ｘ≦0.164、0.453≦ｙ≦0.759にある着色領域である。
青から黄までの色相で選択される他方の着色領域は、0.257≦ｘ、0.606≦ｙにある着色領域であり、好ましくは、0.257≦ｘ≦0.357、0.606≦ｙ≦0.670にある着色領域である。
これら４色の着色領域は、サブ画素に透過領域と反射領域を備えた場合、透過領域及び反射領域も上述した範囲で適用することができるものである。
【００６１】
上記４色の着色領域の構成の例として、以下のものがあげられる。
色相が、赤、青、緑、シアン（青緑）の着色領域
色相が、赤、青、緑、黄の着色領域
色相が、赤、青、深緑、黄の着色領域
色相が、赤、青、エメラルド、黄の着色領域
色相が、赤、青、深緑、黄緑の着色領域
色相が、赤、青緑、深緑、黄緑の着色領域
【００６２】
＜変形例＞
なお、本発明は上述の実施形態に限定されるものではなく、本発明の目的を達成できる範囲での変形、改良等は本発明に含まれるものである。
例えば、上述した各実施形態では、カラーフィルタの種類を４種類のカラーフィルタ７４Ｒ、７４Ｇ、７４Ｃ、７４Ｂ、あるいは、６種類のカラーフィルタ７５Ｒ、７５Ｙ、７５Ｇ、７５Ｃ、７５Ｂ、７５Ｍとしたが、これに限らず、５種類でもよいし、７種類以上でもよい。
また、上述した各実施形態では、カラーフィルタ７４Ｒ、７４Ｇ、７４Ｃ、７４Ｂ、７５Ｒ、７５Ｙ、７５Ｇ、７５Ｃ、７５Ｂ、７５Ｍを対向基板７０に設けたが、これに限らず、素子基板６０に設けてもよい。
【００６３】
また、上述の各実施形態では、本発明を液晶を用いた電気光学装置１に適用したが、これに限らず、液晶以外の電気光学物質を用いた電気光学装置にも適用できる。電気光学物質とは、電気信号（電流信号または電圧信号）の供給によって透過率や輝度といった光学的特性が変化する物質である。例えば、有機ＥＬ（Electro  Luminescent）や発光ポリマーなどのＯＬＥＤ素子を電気光学物質として用いた表示パネル、あるいは、ヘリウムやネオン等の高圧ガスを電気光学物質として用いたプラズマディスプレイパネルなど各種の電気光学装置に対しても、上記実施形態と同様に本発明が適用され得る。
【００６４】
＜電子機器＞
次に、上述した実施形態に係る電気光学装置１、１Ａを適用した電子機器について説明する。図７に、電気光学装置１を適用した携帯電話機３０００の構成を示す。携帯電話機３０００は、複数の操作ボタン３００１およびスクロールボタン３００２、ならびに表示ユニットとしての電気光学装置１、１Ａを有する。スクロールボタン３００２を操作することによって、電気光学装置１、１Ａに表示される画面がスクロールされる。
【図面の簡単な説明】
【００６５】
【図１】本発明の第１実施形態に係る電気光学装置のブロック図である。
【図２】前記実施形態に係る電気光学装置の構成を示す斜視図である。
【図３】図２におけるＺ−Ｚ´断面図である。
【図４】前記実施形態に係る電気光学装置の表示領域の概略平面図である。
【図５】本発明の第２実施形態に係る電気光学装置の表示領域の概略平面図である。
【図６】前記実施形態に係る電気光学装置の断面図である。
【図７】上述の電気光学装置を適用した携帯電話機の構成を示す斜視図である。
【符号の説明】
【００６６】
１…電気光学装置、１０…走査線、１１…走査線駆動回路、２０…データ線、２１…データ線駆動回路、５７、５７Ａ…画素、７４Ｒ、７４Ｇ、７４Ｃ、７４Ｂ、７５Ｒ、７５Ｙ、７５Ｇ、７５Ｃ、７５Ｂ、７５Ｍ…カラーフィルタ、３０００…携帯電話機（電子機器）。
【図１】
2007094337.tif 000003
【図２】
2007094337.tif 000004
【図３】
2007094337.tif 000005
【図４】
2007094337.tif 000006
【図５】
2007094337.tif 000007
【図６】
2007094337.tif 000008
【図７】
2007094337.tif 000009